(57)【要約】【課題】付加情報の発行実績に応じた料金の算出を効率的に行うことができるサーバ装置及びプログラムを提供する。【解決手段】サーバ装置は、管理手段と、配信手段と、収集手段と、算出手段とを備える。前記管理手段は、店舗の各々を識別可能な店舗コードと、前記店舗に備えられた発行装置の各々を識別可能な発行装置コードと、前記発行装置の印刷に関する印刷仕様とを関連付けて管理する。前記配信手段は、前記発行装置が発行する印刷物に付加して印刷させるための付加情報を、前記発行装置コードの各々に関連付けられた前記印刷仕様に適合させた状態で、当該発行装置コードに対応する発行装置に配信する。前記収集手段は、前記付加情報が付加された印刷物の発行実績を前記発行装置から収集する。前記算出手段は、前記収集手段が収集した前記発行実績に基づき、前記付加情報を付加して前記印刷物を発行したことに対する料金を算出する。【選択図】図１１
2018022245.tif 000002
【特許請求の範囲】
【請求項１】
店舗の各々を識別可能な店舗コードと、前記店舗に備えられた発行装置の各々を識別可能な発行装置コードと、前記発行装置の印刷に関する印刷仕様とを関連付けて管理する管理手段と、
前記発行装置が発行する印刷物に付加して印刷させるための付加情報を、前記発行装置コードの各々に関連付けられた前記印刷仕様に適合させた状態で、当該発行装置コードに対応する発行装置に配信する配信手段と、
前記付加情報が付加された印刷物の発行実績を前記発行装置から収集する収集手段と、
前記収集手段が収集した前記発行実績に基づき、前記付加情報を付加して前記印刷物を発行したことに対する料金を算出する算出手段と、
を備えるサーバ装置。
【請求項２】
前記算出手段は、前記付加情報が付加された前記印刷物の発行枚数に応じて前記料金を算出する、
請求項１に記載のサーバ装置。
【請求項３】
前記算出手段は、前記管理手段が管理する各店舗で発行された発行枚数の合計に対する前記店舗ごとの前記発行枚数の割合に応じて、前記料金を前記店舗ごとに算出する、
請求項１に記載のサーバ装置。
【請求項４】
前記算出手段は、前記店舗で発行された前記印刷物における前記付加情報が印刷された部分の長さの合計と、予め定められた単位長さあたりの単価とに応じて前記料金を算出する、
請求項１に記載のサーバ装置。
【請求項５】
前記算出手段は、前記印刷物における前記付加情報の印刷位置に応じた単価で前記料金を算出する、
請求項１乃至４の何れか一項に記載のサーバ装置。
【請求項６】
コンピュータを、
店舗の各々を識別可能な店舗コードと、前記店舗に備えられた発行装置の各々を識別可能な発行装置コードと、前記発行装置の印刷に関する印刷仕様とを関連付けて管理する管理手段と、
前記発行装置が発行する印刷物に付加して印刷させるための付加情報を、前記発行装置コードの各々に関連付けられた前記印刷仕様に適合させた状態で、当該発行装置コードに対応する発行装置に配信する配信手段と、
前記付加情報が付加された印刷物の発行実績を前記発行装置から収集する収集手段と、
前記収集手段が収集した前記発行実績に基づき、前記付加情報を付加して前記印刷物を発行したことに対する料金を算出する算出手段と、
して機能させるためのプログラム。
【発明の詳細な説明】
【技術分野】
【０００１】
本発明の実施形態は、サーバ装置及びプログラムに関する。
【背景技術】
【０００２】
従来、スーパーマーケット等の小売店では、顧客に商品を販売した際に、その取引に係る明細を印刷したレシートを発行している。また、従来、レシートを広告コンテンツの出力媒体として使用するため、レシートを発行する発行装置に広告コンテンツ等の情報を配信する技術が存在する。
【０００３】
ところで、レシートを広告媒体として大規模な広告を実施するには、複数の企業がそれぞれ経営する各店舗において、発行されるレシートに広告を付加する必要がある。また、広告等の付加情報が付加されたレシート等の印刷物の発行実績に応じて広告料等の料金を算出することが求められる。しかしながら、広告料等の料金を手動で算出する作業は煩わしく、付加情報の付加に同意した店舗数が増えるほど算出に要する時間も増えるため非効率的であった。
【発明の概要】
【発明が解決しようとする課題】
【０００４】
本発明が解決しようとする課題は、付加情報の発行実績に応じた料金の算出を効率的に行うことができるサーバ装置及びプログラムを提供することである。
【課題を解決するための手段】
【０００５】
実施形態のサーバ装置は、管理手段と、配信手段と、収集手段と、算出手段とを備える。前記管理手段は、店舗の各々を識別可能な店舗コードと、前記店舗に備えられた発行装置の各々を識別可能な発行装置コードと、前記発行装置の印刷に関する印刷仕様とを関連付けて管理する。前記配信手段は、前記発行装置が発行する印刷物に付加して印刷させるための付加情報を、前記発行装置コードの各々に関連付けられた前記印刷仕様に適合させた状態で、当該発行装置コードに対応する発行装置に配信する。前記収集手段は、前記付加情報が付加された印刷物の発行実績を前記発行装置から収集する。前記算出手段は、前記収集手段が収集した前記発行実績に基づき、前記付加情報を付加して前記印刷物を発行したことに対する料金を算出する。
【図面の簡単な説明】
【０００６】
【図１】図１は、実施形態に係る配信システムの一例を示す説明図である。
【図２】図２は、配信サーバのハードウェア構成の一例を示すブロック図である。
【図３】図３は、店舗テーブルのデータ構成の一例を示す説明図である。
【図４】図４は、発行装置テーブルのデータ構成の一例を示す説明図である。
【図５】図５は、付加情報テーブルのデータ構成の一例を示す説明図である。
【図６】図６は、付加予定テーブルのデータ構成の一例を示す説明図である。
【図７】図７は、発行実績テーブルのデータ構成の一例を示す説明図である。
【図８】図８は、ユーザ端末のハードウェア構成の一例を示すブロック図である。
【図９】図９は、店舗サーバのハードウェア構成の一例を示すブロック図である。
【図１０】図１０は、発行装置のハードウェア構成の一例を示すブロック図である。
【図１１】図１１は、配信システムの各装置が有する特徴的な機能構成を示すブロック図である。
【図１２】図１２は、配信情報のデータ構成の一例を示す説明図である。
【図１３】図１３は、付加情報が付加されたレシートの一例を示す説明図である。
【図１４】図１４は、配信処理の一例を示すフローチャート図である。
【図１５】図１５は、設定処理の一例を示すフローチャート図である。
【図１６】図１６は、発行処理の一例を示すフローチャート図である。
【図１７】図１７は、算出処理の一例を示すフローチャート図である。
【発明を実施するための形態】
【０００７】
以下、図面を参照して、実施形態に係るサーバ装置及びプログラムについて詳細に説明する。以下に説明する実施形態は、サーバ装置及びプログラムの一実施形態であって、その構成や仕様等を限定するものではない。
【０００８】
図１は、実施形態に係る配信システム１の一例を示す説明図である。配信システム１は、配信サーバ１０と、ユーザ端末２０と、店舗システム３０とを備える。配信サーバ１０と、ユーザ端末２０と、店舗システム３０とは、インターネットやＶＰＮ（Virtual  Private  Network）等の配信ネットワーク４０を介して接続されている。
【０００９】
配信サーバ１０は、本実施形態のサーバ装置に対応する。配信サーバ１０は、レシートに付加する広告等の付加情報を、店舗システム３０（後述する店舗サーバ５０）の各々に配信する。なお、配信サーバ１０は、一台のサーバ装置に限らず、複数台のサーバ装置群であってもよい。配信サーバ１０がサーバ装置群である場合には、配信サーバ１０が備えている機能を各サーバ装置で分散していてもよい。さらに、配信サーバ１０がサーバ装置群である場合には、配信サーバ１０が記憶している各種情報を各サーバ装置で分散して記憶していてもよい。
【００１０】
ユーザ端末２０は、店舗システム３０の管理者等が使用するパーソナルコンピュータやスマートフォン等の情報処理装置である。
【００１１】
店舗システム３０は、スーパーマーケット等の小売店の店舗に構築されたシステムである。店舗システム３０は、店舗サーバ５０と、発行装置６０とを備える。店舗サーバ５０と、発行装置６０とは、ＶＰＮ等の店舗ネットワーク７０を介して接続されている。
【００１２】
店舗サーバ５０は、店舗システム３０に属する発行装置６０を管理するパーソナルコンピュータ等である。
【００１３】
発行装置６０は、一取引に係る取引内容が印刷された印刷物（レシート）を発行する装置である。発行装置６０は、例えば、ＰＯＳ（Point  Of  Sales）端末、店舗において顧客等に各種情報を提供するキオスク端末、レシートを印刷するレシートプリンタ、顧客自身が商品読取を実施するセルフＰＯＳ端末、商品の重量の計量と計量値に応じた価格のレシートを発行する計量装置等である。
【００１４】
発行装置６０は、一取引に係る販売対象の商品やサービス等を登録する。そして、発行装置６０は、登録した商品やサービス等の合計価格等の一取引に係る取引内容が印刷されたレシートを発行する。その際、発行装置６０は、広告等の付加情報をレシートに付加することが設定されていることを条件に、その付加情報を付加したレシートを発行する。
【００１５】
次に、配信システム１が有する各種装置のハードウェア構成について説明する。
【００１６】
図２は、配信サーバ１０のハードウェア構成の一例を示すブロック図である。配信サーバ１０は、制御部１０１と、記憶部１０２と、通信インタフェース１０３と、表示部１０４と、操作部１０５とを備える。制御部１０１と、記憶部１０２と、通信インタフェース１０３と、表示部１０４と、操作部１０５とは、システムバス１０６を介して相互に接続している。
【００１７】
制御部１０１は、配信サーバ１０の全体の動作を制御し、配信サーバ１０が有する各種の機能を実現する。制御部１０１は、ＣＰＵ（Central  Processing  Unit）と、ＲＯＭ（Read  Only  Memory）と、ＲＡＭ（Random  Access  Memory）とを備える。ＣＰＵは、配信サーバ１０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部１０２等に格納されたプログラムを実行する。
【００１８】
記憶部１０２は、ＨＤＤ（Hard  Disk  Drive）やＳＳＤ（Solid  State  Drive）などの記憶装置である。記憶部１０２は、制御プログラム１０７と、店舗テーブル１０８と、発行装置テーブル１０９と、付加情報テーブル１１０と、付加予定テーブル１１１と、発行実績テーブル１１２とを記憶する。なお、店舗テーブル１０８と、発行装置テーブル１０９と、付加情報テーブル１１０と、付加予定テーブル１１１と、発行実績テーブル１１２とは、配信サーバ１０に限らず、他のサーバ装置等が記憶していてもよい。
【００１９】
制御プログラム１０７は、オペレーティングシステムや、配信サーバ１０が備えている機能を実現させるためのプログラムである。そして、制御プログラム１０７には、本実施形態に係る特徴的な機能を実現させるためのプログラムが含まれる。
【００２０】
店舗テーブル１０８は、各店舗に関する情報を記憶する。図３は、店舗テーブル１０８のデータ構成の一例を示す説明図である。図３に示すように、店舗テーブル１０８は、店舗コードと、企業コードと、店舗属性と、店舗サーバコードと、一又は複数の発行装置コードとを関連付けて記憶する。店舗コードは、店舗を識別可能な識別情報である。企業コードは、店舗を経営する企業を識別可能な識別情報である。店舗属性は、店舗の属性を示す情報である。例えば、店舗属性は、所在地や、業種業態等である。所在地は、店舗が存在する場所を示す情報である。例えば、所在地は、店舗の住所である。業種業態は、店舗の業種や業態を示す情報である。例えば、業種業態は、スーパーマーケットや、コンビニエンスストアや、食料品小売や、飲食業等である。なお、店舗テーブル１０８は、店舗属性として、所在地や、業種業態等に限らず、店舗の他の属性について記憶していてもよい。店舗サーバコードは、店舗に設置されている店舗サーバ５０を識別可能な識別情報である。発行装置コードは、各店舗に設置された発行装置６０の各々を識別可能な識別情報である。
【００２１】
発行装置テーブル１０９は、発行装置６０に関する情報を記憶する。図４は、発行装置テーブル１０９のデータ構成の一例を示す説明図である。図４に示すように、発行装置テーブル１０９は、発行装置コードと、装置種別と、メーカーコードと、機種コードと、バージョンと、印刷仕様とを関連付けて記憶する。
【００２２】
発行装置コードは、発行装置６０を識別可能な識別情報である。装置種別は、発行装置６０の種別である。例えば、装置種別は、ＰＯＳ端末、キオスク端末、レシートプリンタ、セルフＰＯＳ端末、レシートを発行する計量装置等である。メーカーコードは、発行装置６０を製造した企業を示す情報である。機種コードは、発行装置６０の機種を識別可能な識別情報である。バージョンは、発行装置６０の変更の段階を示す情報である。印刷仕様は、サイズや解像度等である。サイズは、レシートにおける付加情報を印刷可能な領域の大きさを示す情報である。すなわち、サイズは、印刷可能な領域の縦方向と、横方向との大きさを示す情報である。解像度は、付加情報を印刷する場合に求められるドットの密度である。なお、発行装置テーブル１０９は、印刷仕様として、サイズや解像度に限らず、他の印刷仕様について記憶していてもよい。また、本実施形態は、発行装置テーブル１０９が印刷仕様を記憶している。また、印刷仕様は、発行装置テーブル１０９に限らず、他のデータテーブルに記憶されていてもよい。
【００２３】
付加情報テーブル１１０は、配信の対象となる付加情報を記憶・管理する。図５は、付加情報テーブル１１０のデータ構成の一例を示す説明図である。図５に示すように、付加情報テーブル１１０は、付加情報コードと、仕様別コードと、付加情報と、印刷仕様とを関連付けて記憶する。付加情報コードは、付加情報の各々を識別可能な識別情報である。
【００２４】
ここで、発行装置６０は、各々が備える印刷仕様により印刷可能な付加情報も異なっている。そこで、付加情報テーブル１１０は、一つの付加情報コードに対して印刷仕様の異なる複数の付加情報を記憶している。さらに詳しくは、付加情報テーブル１１０は、例えば、レシートに印刷される内容は同一ではあるが印刷仕様の異なる複数の付加情報を記憶していてもよいし、同一商品の広告ではあるが広告の文言や画像がことなる異なる複数の付加情報を記憶していてもよい。そして、仕様別コードは、印刷仕様ごとの付加情報の各々を識別可能な識別情報である。
【００２５】
付加情報は、付加情報の実体である。付加情報は、画像データであってもよいし、文字データであってもよい。付加情報の内容は、限定されず如何なる内容であってもよい。例えば、付加情報の内容は、広告であってもよいし、クーポンであってもよいし、４コマ漫画等であってもよい。印刷仕様は、付加情報を付加して印刷するために求められる発行装置６０の印刷仕様である。更に詳しくは、印刷仕様は、サイズや解像度等である。サイズは、レシートに印刷した付加情報の領域の大きさを示す情報である。すなわち、サイズは、レシートに印刷した付加情報の縦方向と、横方向との大きさを示す情報である。解像度は、付加情報を印刷する場合に求められるドットの密度である。なお、付加情報テーブル１１０は、印刷仕様として、サイズや解像度に限らず、付加情報の他の印刷仕様について記憶していてもよい。
【００２６】
付加予定テーブル１１１は、各店舗においてレシートに付加情報を付加するスケジュール等を記憶する。図６は、付加予定テーブル１１１のデータ構成の一例を示す説明図である。図６に示すように、付加予定テーブル１１１は、年月日と、時間帯と、装置種別と、付加条件と、付加情報コードとを関連付けて記憶する。年月日は、付加情報を付加する年月日を示す情報である。時間帯は、付加情報を付加する時間帯を示す情報である。装置種別は、発行装置６０の種別である。例えば、装置種別は、ＰＯＳ端末や、キオスク端末や、レシートプリンタや、セルフＰＯＳ端末や、レシートを発行する計量装置等である。また、装置種別には、特定の種別の装置を指定しないことを設定してもよい。付加条件は、付加情報を付加する条件である。付加条件には、任意の条件を設定することができる。例えば、付加条件は、性別や年代等の顧客の属性等である。また、付加条件は、一取引において購入された商品や、購入個数や、合計金額等であってもよい。付加条件に商品を設定した場合には、特定の商品を購入したことを条件に、付加情報が付加される。付加条件に購入個数や合計金額を設定した場合には、購入した商品個数や合計金額が閾値以上であることを条件に、付加情報が付加される。また、付加条件は、特定の団体等の会員であることであってもよい。付加条件に会員であることを設定した場合には、会員証の会員コード等を提示したことを条件に、付加情報が付加される。また、付加条件は、一種類に限らず、複数種類であってもよい。付加情報コードは、付加情報を付加する年月日の時間帯に発行されるレシートについて付加条件が満たされたことを条件にレシートに付加する付加情報を示す情報である。
【００２７】
発行実績テーブル１１２は、付加情報が付加されたレシートの発行実績を店舗ごとに記憶する。図７は、発行実績テーブル１１２のデータ構成の一例を示す説明図である。図７に示すように、発行実績テーブル１１２は、取引コードと、発行日時と、店舗コードと、詳細付加情報とを関連付けて記憶する。取引コードは、取引の各々を識別可能な識別情報である。すなわち、取引コードは、レシートの各々を識別可能な識別情報である。発行日時は、レシートが発行された日時を示す情報である。店舗コードは、レシートを発行した発行装置６０を備える店舗を示す店舗コードである。詳細付加情報は、レシートに付加して発行された付加情報についての詳細を示した情報である。詳細付加情報は、付加情報コードと、付加位置と、長さとを関連付けて記憶する。付加情報コードは、レシートに付加された付加情報を示す付加情報コードである。付加位置は、レシートに付加された付加情報の位置を示す情報である。長さは、レシートにおける付加情報が印刷された部分の長さである。
【００２８】
通信インタフェース１０３は、配信ネットワーク４０等に接続された装置と通信するためのインタフェースである。
【００２９】
表示部１０４は、例えば、液晶表示装置（ＬＣＤ）である。なお、表示部１０４は、液晶表示装置に限らず、有機ＥＬ表示装置等であってもよい。
【００３０】
操作部１０５は、キーボードや、マウス等の入力装置である。操作部１０５は、配信サーバ１０に対する操作を受け付ける。
【００３１】
図８は、ユーザ端末２０のハードウェア構成の一例を示すブロック図である。ユーザ端末２０は、制御部２０１と、記憶部２０２と、通信インタフェース２０３と、表示部２０４と、操作部２０５とを備える。制御部２０１と、記憶部２０２と、通信インタフェース２０３と、表示部２０４と、操作部２０５とは、システムバス２０６を介して相互に接続している。
【００３２】
制御部２０１は、ユーザ端末２０の全体の動作を制御し、ユーザ端末２０が有する各種の機能を実現する。制御部２０１は、ＣＰＵと、ＲＯＭと、ＲＡＭとを備える。ＣＰＵは、ユーザ端末２０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部２０２等に格納されたプログラムを実行する。
【００３３】
記憶部２０２は、ＨＤＤやＳＳＤなどの記憶装置である。記憶部２０２は、制御プログラム２０７を記憶する。制御プログラム２０７は、オペレーティングシステムや、ユーザ端末２０が備えている機能を実現させるためのプログラムである。そして、制御プログラム２０７には、本実施形態に係る特徴的な機能を実現させるためのプログラムが含まれる。
【００３４】
通信インタフェース２０３は、配信ネットワーク４０等に接続された装置と通信するためのインタフェースである。
【００３５】
表示部２０４は、例えば、液晶表示装置（ＬＣＤ）である。なお、表示部２０４は、液晶表示装置に限らず、有機ＥＬ表示装置等であってもよい。
【００３６】
操作部２０５は、キーボードや、マウス等の入力装置である。操作部２０５は、ユーザ端末２０に対する操作を受け付ける。
【００３７】
図９は、店舗サーバ５０のハードウェア構成の一例を示すブロック図である。店舗サーバ５０は、制御部５０１と、記憶部５０２と、通信インタフェース５０３と、表示部５０４と、操作部５０５とを備える。制御部５０１と、記憶部５０２と、通信インタフェース５０３と、表示部５０４と、操作部５０５とは、システムバス５０６を介して相互に接続している。
【００３８】
制御部５０１は、店舗サーバ５０の全体の動作を制御し、店舗サーバ５０が有する各種の機能を実現する。制御部５０１は、ＣＰＵと、ＲＯＭと、ＲＡＭとを備える。ＣＰＵは、店舗サーバ５０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部５０２等に格納されたプログラムを実行する。
【００３９】
記憶部５０２は、ＨＤＤやＳＳＤなどの記憶装置である。記憶部５０２は、制御プログラム５０７を記憶する。制御プログラム５０７は、オペレーティングシステムや、店舗サーバ５０が備えている機能を実現させるためのプログラムである。そして、制御プログラム５０７には、本実施形態に係る特徴的な機能を実現させるためのプログラムが含まれる。
【００４０】
通信インタフェース５０３は、配信ネットワーク４０又は店舗ネットワーク７０に接続された装置と通信するためのインタフェースである。
【００４１】
表示部５０４は、例えば、液晶表示装置（ＬＣＤ）である。なお、表示部５０４は、液晶表示装置に限らず、有機ＥＬ表示装置等であってもよい。
【００４２】
操作部５０５は、キーボードや、マウス等の入力装置である。操作部５０５は、店舗サーバ５０に対する操作を受け付ける。
【００４３】
図１０は、発行装置６０のハードウェア構成の一例を示すブロック図である。なお、本実施形態では、発行装置６０がＰＯＳ端末である場合を例に説明する。発行装置６０は、制御部６０１と、記憶部６０２と、通信インタフェース６０３と、第１表示部６０４と、第２表示部６０５と、操作部６０６と、プリンタ６０７と、カードリーダライタ６０８と、スキャナ６０９とを備える。制御部６０１と、記憶部６０２と、通信インタフェース６０３と、第１表示部６０４と、第２表示部６０５と、操作部６０６と、プリンタ６０７と、カードリーダライタ６０８と、スキャナ６０９とは、システムバス６１０を介して相互に接続している。
【００４４】
制御部６０１は、発行装置６０の全体の動作を制御し、発行装置６０が有する各種の機能を実現する。制御部６０１は、ＣＰＵと、ＲＯＭと、ＲＡＭとを備える。ＣＰＵは、発行装置６０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部６０２等に格納されたプログラムを実行する。
【００４５】
記憶部６０２は、ＨＤＤやＳＳＤなどの記憶装置である。記憶部６０２は、制御プログラム６１１を記憶する。制御プログラム６１１は、オペレーティングシステムや、発行装置６０が備えている機能を実現させるためのプログラムである。そして、制御プログラム６１１には、本実施形態に係る特徴的な機能を実現させるためのプログラムが含まれる。
【００４６】
通信インタフェース６０３は、店舗ネットワーク７０等に接続された装置と通信するためのインタフェースである。
【００４７】
第１表示部６０４は、表示面上にタッチパネルが積層された液晶表示装置（ＬＣＤ）である。第１表示部６０４は、例えば、店舗の店員に向けて各種画面を表示する。第２表示部６０５は、表示面上にタッチパネルが積層された液晶表示装置（ＬＣＤ）である。第２表示部６０５は、例えば、顧客に向けて各種画面を表示する。
【００４８】
操作部６０６は、キーボード等の入力装置である。また、操作部６０６は、第１表示部６０４に積層されたタッチパネルや、第２表示部６０５に積層されたタッチパネルであってもよい。
【００４９】
プリンタ６０７は、一取引に係る取引内容を所定の用紙に印刷したレシートを発行する。カードリーダライタ６０８は、カードからカード情報の読み取り等をするためにスキャンする。スキャナ６０９は、顧客が持参した商品に付されたバーコード等のコードシンボルからコード情報を光学的に読み取る。
【００５０】
次に、配信システム１の各装置が有する特徴的な機能について説明する。ここで、図１１は、配信システム１の各装置が有する特徴的な機能構成を示すブロック図である。
【００５１】
配信サーバ１０の制御部１０１は、記憶部１０２に記憶された制御プログラム１０７をＲＡＭに展開し、制御プログラム１０７に従って動作することで、図１１に示す各機能部をＲＡＭに生成する。具体的には、配信サーバ１０の制御部１０１は、機能部として、通信制御部１００１と、店舗管理部１００２と、付加情報登録部１００３と、予定登録部１００４と、対象抽出部１００５と、配信情報生成部１００６と、配信制御部１００７と、発行実績収集部１００８と、料金算出部１００９とを備える。
【００５２】
通信制御部１００１は、通信インタフェース１０３を制御して、配信ネットワーク４０に接続されたユーザ端末２０や店舗サーバ５０等の装置と通信する。さらに、通信制御部１００１は、通信インタフェース１０３を制御して、店舗サーバ５０を介して、店舗ネットワーク７０に接続された発行装置６０等の装置と通信する。
【００５３】
店舗管理部１００２は、本実施形態の管理手段として機能する。店舗管理部１００２は、店舗に関する情報を管理する。すなわち、店舗管理部１００２は、店舗テーブル１０８及び発行装置テーブル１０９を管理する。例えば、店舗管理部１００２は、新たに店舗を追加する場合に、追加対象の店舗を店舗テーブル１０８に追加する。また、店舗管理部１００２は、新たに発行装置６０を追加する場合に、追加対象の発行装置６０の発行装置コードを店舗テーブル１０８に追加する。
【００５４】
付加情報登録部１００３は、配信の対象となる付加情報を付加情報テーブル１１０に登録する。付加情報登録部１００３は、配信サーバ１０において生成された付加情報を付加情報テーブル１１０に登録してもよい。また、付加情報登録部１００３は、通信制御部１００１が外部装置から受信した付加情報を付加情報テーブル１１０に登録してもよい。また、付加情報登録部１００３は、ＵＳＢ（Universal  Serial  Bus）インタフェース等の接続インタフェースを介して外部装置から入力された付加情報を付加情報テーブル１１０に登録してもよい。
【００５５】
予定登録部１００４は、レシートに対して付加情報を付加する予定や条件を付加予定テーブル１１１に設定する。すなわち、予定登録部１００４は、年月日ごとに、付加情報を付加する時間帯と、付加情報を付加させる装置種別と、付加情報を付加する付加条件と、付加条件ごとの付加情報とを設定する。予定登録部１００４は、操作部１０５が受け付けた操作に基づいて予定を付加予定テーブル１１１に登録してもよい。また、予定登録部１００４は、通信制御部１００１が外部装置から受信した情報に基づいて予定や条件を付加予定テーブル１１１に登録してもよい。また、予定登録部１００４は、ＵＳＢインタフェース等の接続インタフェースを介して外部装置から入力された情報に基づいて予定や条件を付加予定テーブル１１１に登録してもよい。なお、予定登録部１００４は、年月日、時間帯、装置種別及び付加条件の全てを登録してもよいし、一部を登録してもよい。
【００５６】
対象抽出部１００５は、指定された抽出条件を満たす店舗システム３０の店舗サーバ５０を、付加情報を送信する店舗サーバ５０として店舗テーブル１０８から抽出する。また、抽出条件には、任意の条件を設定することができる。例えば、抽出条件とは、企業コード、店舗属性、又はこれらの組み合わせ等である。対象抽出部１００５は、抽出条件が適合することを条件に、企業コードの異なる複数の店舗の店舗サーバ５０を抽出することができる。そして、対象抽出部１００５は、抽出条件として特定の地域が指定されたことを条件に、店舗の所在地が指定された地域に含まれる店舗の店舗サーバ５０を企業コードに関わらず抽出する。また、対象抽出部１００５は、抽出条件として飲食店が指定されたことを条件に、店舗の業種業態が飲食店である店舗の店舗サーバ５０を企業コードに関わらず抽出する。
【００５７】
配信情報生成部１００６は、配信制御部１００７と協働することで、対象抽出部１００５が抽出した各店舗サーバ５０に配信する配信情報を生成する。配信情報とは、付加予定テーブル１１１において設定された時間帯と装置種別と付加条件とに応じた付加情報が発行装置６０ごとに設定された情報である。ここで、図１２は、配信情報のデータ構成の一例を示す説明図である。配信情報は、発行装置コードと、時間帯と、付加条件と、付加情報とを関連付けて記憶する。発行装置コードは、付加情報を付加する発行装置６０を示す情報である。時間帯は、付加情報をレシートに付加する時間帯を示す情報である。付加条件は、付加情報をレシートに付加する条件を示す情報である。
【００５８】
ところで、発行装置６０は、付加予定テーブル１１１に設定された年月日と、時間帯と、装置種別と、付加条件とに応じた付加情報をレシートに付加して印刷することが求められる。しかしながら、装置種別の異なる発行装置６０は、用途が異なるためレシートに付加すべき付加情報も異なっている。また、装置種別の異なる発行装置６０は、印刷可能なレシートのサイズや印刷の解像度等の印刷仕様が異なるため印刷可能な付加情報も異なっている。
【００５９】
そこで、配信情報生成部１００６は、対象抽出部１００５が抽出した各店舗システム３０の発行装置６０ごとに、その装置種別に応じて、発行装置６０が発行可能な印刷仕様の付加情報を有する配信情報を生成する。さらに詳しくは、配信情報生成部１００６は、店舗テーブル１０８において配信先の店舗システム３０の店舗コードに関連付けられている発行装置コードを抽出する。配信情報生成部１００６は、抽出した発行装置コードと、発行装置テーブル１０９の発行装置コードとを比較することにより、抽出した発行装置コードの装置種別を抽出する。また、配信情報生成部１００６は、抽出した配信先の発行装置６０の発行装置コードの印刷仕様を発行装置テーブル１０９から抽出する。そして、配信情報生成部１００６は、抽出した装置種別及び印刷仕様に適合する付加情報を付加情報テーブル１１０から選択する。これにより、配信情報生成部１００６は、装置種別、及び印刷仕様に適合した状態の付加情報を有する配信情報を生成する。
【００６０】
なお、配信情報生成部１００６は、種々の方法により印刷仕様に適合する付加情報を有する配信情報を生成することができる。例えば、配信情報生成部１００６は、付加予定テーブル１１１において設定された付加情報コードの付加情報を、発行装置６０の印刷仕様に適合する付加情報に変換することにより発行装置６０の印刷仕様に適合させてもよい。さらに詳しくは、配信情報生成部１００６は、付加予定テーブル１１１において設定された付加情報コードを抽出する。また、配信情報生成部１００６は、配信先の発行装置６０の印刷仕様を発行装置テーブル１０９から抽出する。そして、配信情報生成部１００６は、抽出した付加情報コードの付加情報を、発行装置６０の印刷仕様に適合する付加情報に変換する。例えば、付加情報の変換とは、付加情報の印刷仕様のサイズを、拡大や縮小すること等である。これにより、配信情報生成部１００６は、装置種別、及び印刷仕様に適合した状態の付加情報を有する配信情報を生成する。なお、付加情報を抽出した印刷仕様に適合する付加情報に変換する処理については、配信サーバ１０に限らず、店舗サーバ５０や発行装置６０が実行してもよい。
【００６１】
配信制御部１００７は、通信制御部１００１とともに本実施形態の配信手段として機能する。配信制御部１００７は、通信制御部１００１を制御することで、配信情報生成部１００６が生成した配信情報を、対象抽出部１００５が抽出した店舗サーバ５０に送信（配信）させる。配信情報を受信した各店舗サーバ５０は、配信情報において指定された発行装置コードの発行装置６０に付加情報を配信する。すなわち、配信制御部１００７は、各発行装置６０に向けて配信情報を送信（配信）させる。
【００６２】
具体的には、配信制御部１００７は、予め定められた配信条件を満たすことを条件に、対象抽出部１００５に店舗サーバ５０を抽出させる。また、配信制御部１００７は、配信情報生成部１００６に配信情報を生成させる。そして、配信制御部１００７は、抽出した店舗サーバ５０に向けて生成した配信情報を通信制御部１００１に送信させる。配信条件には、任意の条件を設定することができる。例えば、配信条件は、予め定められた時刻であってもよいし、配信情報の配信を指示する操作を受け付けたことであってもよい。なお、配信情報の配信先は、店舗サーバ５０に限らず、発行装置６０等であってもよい。また、配信制御部１００７は、特定の店舗コードや企業コードを指定して配信情報を送信してもよい。店舗コードを指定した場合には、指定した店舗コードの店舗に設置された一又は複数の発行装置６０が対象となる。企業コードを指定した場合には、指定した企業コードの企業が経営する一又は複数の店舗に設置された一又は複数の発行装置６０が対象となる。
【００６３】
発行実績収集部１００８は、本実施形態の収集手段として機能する。発行実績収集部１００８は、店舗システム３０から送信される付加情報が付加されたレシートの発行実績を示す発行実績情報を通信制御部１００１が受信したことを条件に、当該発行実績を発行実績テーブル１１２に記憶させる。さらに詳しくは、発行実績収集部１００８は、後述する付加情報集計部５００３が生成した発行実績情報を収集して発行実績テーブル１１２に記憶させる。すなわち、発行実績収集部１００８は、店舗サーバ５０を介して、付加情報が付加されたレシートの発行実績を各発行装置６０から収集する。
【００６４】
料金算出部１００９は、本実施形態の算出手段として機能する。料金算出部１００９は、付加情報が付加されたレシートを発行したことによる付加情報の掲載料を店舗ごとに算出する。さらに詳しくは、料金算出部１００９は、発行実績収集部１００８が発行実績テーブル１１２に記憶させた発行実績に基づいて、レシートに付加された付加情報の掲載料金を、店舗ごとに算出する。
【００６５】
料金算出部１００９は、種々の方法により料金を算出する。例えば、料金算出部１００９は、レシートに付加された付加情報の発行実績に応じた料金を算出する。さらに詳しくは、料金算出部１００９は、付加情報が付加されたレシートの発行枚数に応じた料金を算出する。そして、料金算出部１００９は、付加情報の発行実績と、単位数量あたりの単価とに応じた料金を算出する。また、料金算出部１００９は、レシートにおける付加情報が印刷された部分の長さに応じた料金を算出する。
【００６６】
また、料金算出部１００９は、付加情報が付加されたレシートの発行枚数に応じて付加情報の掲載料金を各店舗に分配してもよい。この場合には、料金算出部１００９は、配信システム１の各店舗で発行された発行枚数の合計に対する店舗ごとの発行枚数の割合に応じて店舗ごとの料金を算出する。
【００６７】
また、料金算出部１００９は、レシートにおける付加情報が印刷された部分の長さの合計に応じて料金を算出してもよい。この場合には、料金算出部１００９は、予め定められた単位長さあたりの単価と、店舗において発行されたレシートに印刷された付加情報の長さの合計とに応じて料金を算出する。
【００６８】
また、料金算出部１００９は、レシートにおける付加情報の印刷形態に応じた異なる単価で料金を算出してもよい。例えば、料金算出部１００９は、印刷した付加情報の長さに応じて異なる単価で料金を算出する。また、料金算出部１００９は、印刷した付加情報の印刷位置に応じて異なる単価で料金を算出する。
【００６９】
ユーザ端末２０の制御部２０１は、記憶部２０２に記憶された制御プログラム２０７をＲＡＭに展開し、制御プログラム２０７に従って動作することで、図１１に示す各機能部をＲＡＭに生成する。具体的には、ユーザ端末２０の制御部２０１は、機能部として、通信制御部２００１と、表示制御部２００２と、操作制御部２００３とを備える。
【００７０】
通信制御部２００１は、通信インタフェース２０３を制御して、配信ネットワーク４０に接続された配信サーバ１０や店舗サーバ５０等の装置と通信する。さらに、通信制御部２００１は、通信インタフェース２０３を制御して、店舗サーバ５０を介して、店舗ネットワーク７０に接続された発行装置６０等の装置と通信する。
【００７１】
表示制御部２００２は、表示部２０４を制御して、各種情報を表示させる。操作制御部２００３は、操作部２０５を制御して、各種操作を受け付ける。
【００７２】
発行装置６０の制御部６０１は、記憶部６０２に記憶された制御プログラム６１１をＲＡＭに展開し、制御プログラム６１１に従って動作することで、図１１に示す各機能部をＲＡＭに生成する。具体的には、発行装置６０の制御部６０１は、機能部として、通信制御部６００１と、操作制御部６００２と、付加設定部６００３と、発行制御部６００４と、売上登録部６００５とを備える。なお、本実施形態では、発行装置６０がＰＯＳ端末である場合を例に説明する。
【００７３】
通信制御部６００１は、通信インタフェース６０３を制御して、店舗ネットワーク７０に接続された店舗サーバ５０等の装置と通信する。さらに、通信制御部６００１は、通信インタフェース６０３を制御して、店舗サーバ５０等を介して、配信ネットワーク４０に接続された配信サーバ１０やユーザ端末２０等の装置と通信する。
【００７４】
操作制御部６００２は、操作部６０６を制御して、各種操作を受け付ける。
【００７５】
付加設定部６００３は、通信制御部６００１が配信情報の設定要求を受信したことを条件に、受信した設定要求に含まれる配信情報を記憶部６０２に記憶させる。そして、付加設定部６００３は、配信情報に含まれる付加情報をレシートに付加することを設定する。
【００７６】
発行制御部６００４は、レシートの発行を制御する。さらに詳しくは、発行制御部６００４は、所定の用紙に印刷するレシート情報を生成する。レシート情報は、取引コードと、店舗コードと、発行日時と、取引内容と、付加情報と、詳細付加情報とを有する。取引コードは、掲載対象の取引を識別可能な識別情報である。なお、発行制御部６００４は、付加情報を付加しないレシートを発行する場合には、取引コードと、店舗コードと、発行日時と、取引内容とを有するレシート情報を生成する。店舗コードは、レシートを発行した店舗を示す情報である。発行日時は、レシートの発行日時である。取引内容は、掲載対象の取引内容を示す情報である。付加情報は、発行制御部６００４が配信情報から抽出した付加情報である。発行制御部６００４は、レシートを発行する時刻に適合する時間帯を配信情報から抽出する。さらに、発行制御部６００４は、操作制御部６００２が受け付けた付加条件に関連付けられている付加情報を抽出する。詳細付加情報は、発行制御部６００４が配信情報から抽出した付加情報の詳細を示す情報である。詳細付加情報は、付加情報コードと、付加位置と、長さとを有する。付加情報コードは、発行制御部６００４が配信情報から抽出した付加情報の付加情報コードである。付加位置は、発行制御部６００４が配信情報から抽出した付加情報が掲載される位置を示す情報である。長さは、発行制御部６００４が配信情報から抽出した付加情報の長さを示す情報である。すなわち、長さは、レシートにおける付加情報が印刷された部分の長さを示す情報である。そして、発行制御部６００４は、プリンタ６０７に生成したレシート情報を所定の用紙に印刷させてレシートを発行する。また、発行制御部６００４は、レシートを発行したことを条件に、レシート情報を店舗サーバ５０に向けて通信制御部６００１に送信させる。
【００７７】
ここで、図１３は、付加情報が付加されたレシートの一例を示す説明図である。レシートは、取引内容印刷領域７００１と、付加情報印刷領域７００２とを備える。取引内容印刷領域７００１は、レシートにおける取引内容を印刷する領域である。付加情報印刷領域７００２は、付加情報を印刷する領域である。図１３に示す付加情報印刷領域７００２は、商品Ｘの広告が印刷付加されている。なお、図１３に示す付加情報印刷領域７００２は、取引内容印刷領域７００１の下方に位置しているが付加情報印刷領域７００２はレシートの何れに配置されていてもよい。また、取引内容印刷領域７００１と、付加情報印刷領域７００２とは切り離されていてもよい。
【００７８】
売上登録部６００５は、販売データ処理を制御する。すなわち、売上登録部６００５は、スキャナ６０９が受け付けた商品コードの商品を販売対象の商品として登録する。また、売上登録部６００５は、販売対象として登録した商品等の代金の合計金額を算出する。
【００７９】
店舗サーバ５０の制御部５０１は、記憶部５０２に記憶された制御プログラム５０７をＲＡＭに展開し、制御プログラム５０７に従って動作することで、図１１に示す各機能部をＲＡＭに生成する。具体的には、店舗サーバ５０の制御部５０１は、機能部として、通信制御部５００１と、付加制御部５００２と、付加情報集計部５００３とを備える。
【００８０】
通信制御部５００１は、通信インタフェース５０３を制御して、配信ネットワーク４０に接続された配信サーバ１０やユーザ端末２０等の装置と通信する。さらに、通信制御部５００１は、通信インタフェース５０３を制御して、店舗ネットワーク７０に接続された発行装置６０等の装置と通信する。
【００８１】
付加制御部５００２は、通信制御部５００１が配信情報を受信したことを条件に、配信情報において指定された付加情報を付加することを配信情報の各発行装置コードの発行装置６０に要求する。すなわち、付加制御部５００２は、配信情報を含む設定要求を各発行装置６０に向けて通信制御部５００１に送信させる。ここで、設定要求は、レシートを発行する際には、配信情報に含まれる付加情報を付加してレシートを発行する設定にすることを要求するものである。
【００８２】
付加情報集計部５００３は、店舗システム３０に属する各発行装置６０の付加情報の発行実績を集計する。さらに詳しくは、付加情報集計部５００３は、レシート情報を通信制御部５００１が受信したことを条件に、受信したレシート情報から付加情報の発行実績を示す発行実績情報を生成する。付加情報集計部５００３は、取引コードと、発行日時と、店舗コードと、詳細付加情報とをレシート情報から抽出することにより発行実績情報を生成する。付加情報集計部５００３は、発行実績情報を記憶部５０２に記憶させる。付加情報集計部５００３は、この処理を店舗システム３０に属する各発行装置６０に対して実行する。また、付加情報集計部５００３は、この処理を予め定められた日時になるまで実行する。
【００８３】
そして、付加情報集計部５００３は、予め定められた日時になったことを条件に、記憶部５０２に記憶させた発行実績情報を配信サーバ１０に向けて通信制御部５００１に送信させる。なお、配信サーバ１０に送信する条件は、予め定められた日時になったことに限らず、配信サーバ１０からの送信要求等であってもよい。
【００８４】
次に、配信システム１の各装置の動作について説明する。ここで、図１４は、実施形態の配信システム１の配信サーバ１０及び店舗サーバ５０が実行する配信処理の一例を示すフローチャート図である。
【００８５】
配信サーバ１０の付加情報登録部１００３は、付加情報を付加情報テーブル１１０に登録する（ステップＳ１１）。配信サーバ１０の予定登録部１００４は、付加予定テーブル１１１に付加条件を登録する（ステップＳ１２）。
【００８６】
配信サーバ１０の配信制御部１００７は、配信情報を配信する配信条件を満たすか否かを判定する（ステップＳ１３）。配信条件を満たさない場合に（ステップＳ１３；Ｎｏ）、配信サーバ１０は、配信条件を満たすまで待機する。
【００８７】
一方、配信条件を満たす場合に（ステップＳ１３；Ｙｅｓ）、配信サーバ１０の対象抽出部１００５は、配信情報を配信する店舗サーバ５０を店舗テーブル１０８から抽出する（ステップＳ１４）。
【００８８】
配信サーバ１０の配信情報生成部１００６は、抽出した店舗サーバ５０に配信する配信情報を生成する（ステップＳ１５）。配信サーバ１０の通信制御部１００１は、生成した配信情報を抽出した店舗サーバ５０に送信する（ステップＳ１６）。
【００８９】
店舗サーバ５０の通信制御部５００１は、配信情報を受信する（ステップＳ２１）。
【００９０】
店舗サーバ５０は、後述する設定処理を他の装置と協働で実行する（ステップＳ２２）。
【００９１】
以上により、配信システム１の各装置は、配信処理を終了する。
【００９２】
次に、配信システム１の各装置が実行する設定処理について説明する。ここで、図１５は、実施形態の配信システム１の店舗サーバ５０及び発行装置６０が実行する設定処理の一例を示すフローチャート図である。
【００９３】
店舗サーバ５０の通信制御部５００１は、配信サーバ１０から受信した配信情報を各発行装置６０に送信する（ステップＳ３１）。
【００９４】
発行装置６０の通信制御部６００１は、配信情報を受信する（ステップＳ４１）。発行装置６０の付加設定部６００３は、受信した配信情報に含まれる付加情報をレシートに付加することを設定する（ステップＳ４２）。
【００９５】
以上により、配信システム１の各装置は、設定処理を終了する。
【００９６】
次に、発行装置６０が実行する発行処理について説明する。ここで、図１６は、実施形態の発行装置６０が実行する発行処理の一例を示すフローチャート図である。
【００９７】
発行装置６０の操作制御部６００２は、付加条件の入力を受け付ける（ステップＳ５１）。すなわち、操作制御部６００２は、例えば顧客の属性等の入力を受け付ける。
【００９８】
発行装置６０の発行制御部６００４は、レシートを発行する時刻に適合する時間帯を配信情報から抽出する（ステップＳ５２）。
【００９９】
発行装置６０の発行制御部６００４は、顧客の属性に適合する付加条件に関連付けられている付加情報を抽出する（ステップＳ５３）。
【０１００】
発行装置６０の発行制御部６００４は、付加情報が付加されたレシートを発行する（ステップＳ５４）。発行装置６０の通信制御部６００１は、発行したレシートに関する各種情報を有するレシート情報を店舗サーバ５０に送信する（ステップＳ５５）。なお、ステップＳ５４においてレシートに付加情報が付加されていない場合には、通信制御部６００１は、付加情報と、詳細付加情報とを有しないレシート情報を店舗サーバ５０に送信する。
【０１０１】
店舗サーバ５０の通信制御部５００１は、レシート情報を受信する（ステップＳ６１）。なお、ステップＳ５４においてレシートに付加情報が付加されていない場合には、通信制御部５００１は、付加情報と、詳細付加情報とを有しないレシート情報を受信する。また、店舗サーバ５０は、ステップＳ５４においてレシートに付加情報が付加されていない場合には、以降の処理は実行しない。
【０１０２】
店舗サーバ５０の付加情報集計部５００３は、受信したレシート情報から付加情報の発行実績を示す発行実績情報を生成する（ステップＳ６２）。店舗サーバ５０の付加情報集計部５００３は、生成した発行実績情報を記憶部５０２に記憶させる（ステップＳ６３）。
【０１０３】
以上により、配信システム１の各装置は、発行処理を終了する。
【０１０４】
次に、配信システム１の各装置が実行する算出処理について説明する。ここで、図１７は、実施形態の配信システム１の配信サーバ１０及び店舗サーバ５０が実行する算出処理の一例を示すフローチャート図である。
【０１０５】
店舗サーバ５０の付加情報集計部５００３は、予め定められた日時になったか否かを判定する（ステップＳ７１）。予め定められた日時になっていないことを条件に（ステップＳ７１；Ｎｏ）、付加情報集計部５００３は、予め定められた日時になるまで待機する。
【０１０６】
予め定められた日時になったことを条件に（ステップＳ７１；Ｙｅｓ）、店舗サーバ５０の通信制御部５００１は、記憶部５０２に記憶させた発行実績情報を配信サーバ１０に送信する（ステップＳ７２）。
【０１０７】
配信サーバ１０の通信制御部１００１は、発行実績情報を受信する（ステップＳ８１）。配信サーバ１０の発行実績収集部１００８は、受信した発行実績情報を発行実績テーブル１１２に記憶させる（ステップＳ８２）。
【０１０８】
配信サーバ１０の料金算出部１００９は、配信システム１の全店舗から発行実績情報を受信したか否かを判定する（ステップＳ８３）。全店舗から発行実績情報を受信していないことを条件に（ステップＳ８３；Ｎｏ）、配信サーバ１０は、ステップＳ８１に移行する。
【０１０９】
全店舗から発行実績情報を受信していることを条件に（ステップＳ８３；Ｙｅｓ）、配信サーバ１０の料金算出部１００９は、店舗ごとの料金を算出する（ステップＳ８４）。
【０１１０】
以上により、配信システム１の各装置は、算出処理を終了する。
【０１１１】
以上のように、本実施形態に係る配信システム１によれば、配信サーバ１０は、店舗テーブル１０８、発行装置テーブル１０９、付加情報テーブル１１０、及び付加予定テーブル１１１を管理する。そして、配信サーバ１０は、店舗テーブル１０８の各企業コードの店舗に付加情報を配信する。また、配信サーバ１０は、配信した付加情報の掲載料金を店舗ごとに算出する。従って、配信サーバ１０は、複数の企業がそれぞれ経営する各店舗で、実際に発行された付加情報の発行実績や発行枚数に応じた料金を効率的に算出することができる。
【０１１２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１１３】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【０１１４】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【０１１５】
１  配信システム
１０  配信サーバ
２０  ユーザ端末
５０  店舗サーバ
６０  発行装置
１００１  通信制御部
１００２  店舗管理部
１００３  付加情報登録部
１００４  予定登録部
１００５  対象抽出部
１００６  配信情報生成部
１００７  配信制御部
１００８  発行実績収集部
１００９  料金算出部
２００１  通信制御部
２００２  表示制御部
２００３  操作制御部
５００１  通信制御部
５００２  付加制御部
５００３  付加情報集計部
６００１  通信制御部
６００２  操作制御部
６００３  付加設定部
６００４  発行制御部
６００５  売上登録部
【先行技術文献】
【特許文献】
【０１１６】
【特許文献１】特開２００２−１５７６５４号公報
【図１】
2018022245.tif 000003
【図２】
2018022245.tif 000004
【図３】
2018022245.tif 000005
【図４】
2018022245.tif 000006
【図５】
2018022245.tif 000007
【図６】
2018022245.tif 000008
【図７】
2018022245.tif 000009
【図８】
2018022245.tif 000010
【図９】
2018022245.tif 000011
【図１０】
2018022245.tif 000012
【図１１】
2018022245.tif 000013
【図１２】
2018022245.tif 000014
【図１３】
2018022245.tif 000015
【図１４】
2018022245.tif 000016
【図１５】
2018022245.tif 000017
【図１６】
2018022245.tif 000018
【図１７】
2018022245.tif 000019